(57)【要約】      （修正有）【課題】液体に装飾材が浸漬された装飾置物として、多様な外観を有する紙製装飾材を提供する。【解決手段】透視性を有する容器１０と、容器１０に収容されたオイル２０と、オイル２０に浸漬された複数の装飾材とを有する。装飾材のうちの一部が、紙によって形成された紙製装飾材である。紙製装飾材のうちの一部が、水中の生物の外観を呈する水中生物紙製装飾材であるタツノオトシゴ装飾材３０であり、紙が折り曲げ線で折り曲げられ、当該折り曲げ線を基準に対称の形状を有する対称装飾材であり、紙製装飾材として、夫婦岩の外観を有するものも存在する。 【選択図】図１
0003223178.tif 000002
【実用新案登録請求の範囲】
【請求項１】
観賞用の装飾置物であって、
透視性を有する容器と、
前記容器に収容された液体と、
前記液体に浸漬された一又は複数の装飾材とを有し、
前記装飾材のうちの少なくとも一部が、紙によって形成された紙製装飾材である、
装飾置物。
【請求項２】
請求項１に記載の装飾置物であって、
前記紙製装飾材のうちの少なくとも一部が、水中の生物の外観を呈する水中生物紙製装飾材である、
装飾置物。
【請求項３】
請求項１又は請求項２に記載の装飾置物であって、
前記紙製装飾材のうちの少なくとも一部が、折り曲げ線に沿って折り曲げられた紙によって形成され、当該折り曲げ線を基準に対称の形状を有する対称装飾材である、
装飾置物。
【請求項４】
請求項３に記載の装飾置物であって、
前記紙製装飾材として、夫婦岩の外観を有するものもある、
装飾置物。
【請求項５】
請求項１〜請求項４のいずれかに記載の装飾置物であって、
前記装飾材として、ガラスビーズ、ガラス玉、プリザーブドフラワーのうちの一部又はすべても存在する、
装飾置物。
【考案の詳細な説明】
【技術分野】
【０００１】
本考案は、観賞用の装飾置物に関するものである。
【背景技術】
【０００２】
装飾置物として、「ハーバリウム」といわれるものがあり、近年注目を集めている。
これは、ガラス瓶の中にオイル（液体）が注入され、そのオイルの中にプリザーブドフラワーが浸漬され、ガラス瓶が密閉されて形成されている。プリザーブドフラワーとは、花等から所定の方法で水分を抜いて保存性を高めたものである。
そして、ハーバリウムについての技術の一例として、特許文献１に記載のものがある。
【０００３】
ハーバリウムは、オイルの中に花が存在することによって美しい外観を呈しており、装飾置物としての機能を有する。
【０００４】
しかしながら、上記の技術では、その外観の多様性を確保する上で、大きなネックがある。
すなわち、上記の技術は、花をメインとするものである。花には多様なものが存在するものの、やはりその外観には共通性があり、そのバリエーションには限界がある。
また、花は本来的に地上に存在するものであって、液体の中に花が存在する、という外観には違和感があるという考え方もある。
【先行技術文献】
【特許文献】
【０００５】
【特許文献１】登録実用新案第３２１４６６４号公報
【考案の概要】
【考案が解決しようとする課題】
【０００６】
本考案は、液体に装飾材が浸漬された装飾置物として、多様な外観を有するものを容易に提供できる技術を提供することを課題とする。
【課題を解決するための手段】
【０００７】
上記の課題を解決するために、本考案の第１の態様は、観賞用の装飾置物であって、透視性を有する容器と、前記容器に収容された液体と、前記液体に浸漬された一又は複数の装飾材とを有し、前記装飾材のうちの少なくとも一部が、紙によって形成された紙製装飾材である、装飾置物である。
【０００８】
この態様の装飾置物では、次の作用効果が得られる。
すなわち、装飾材のうちの少なくとも一部が紙製装飾材であり、紙製の装飾材は、その切り方・折り方等を変えることによって、非常に大きな多様性を有する外観を容易に呈することが可能となる。
こうして、この装飾置物は、容易に多様な外観を有することが可能となる。
【０００９】
本考案の第２の態様は、第１の態様の装飾置物であって、前記紙製装飾材のうちの少なくとも一部が、水中の生物の外観を呈する水中生物紙製装飾材である、装飾置物である。
【００１０】
「水中の生物」の例として、タツノオトシゴ，イルカ，ヒトデ，貝，魚，エイ，カニ等がある。
【００１１】
この態様の装飾置物では、第１の態様の装飾置物の作用効果に加えて、次の作用効果が得られる。
すなわち、水中の生物の外観を呈する水中生物紙製装飾材が液体に浸漬されているため、水中の生物が水中に存在するかのような外観を呈することとなり、より自然な美しい外観を呈することとなる。
【００１２】
本考案の第３の態様は、第１又は第２の態様の装飾置物であって、前記紙製装飾材のうちの少なくとも一部が、折り曲げ線に沿って折り曲げられた紙によって形成され、当該折り曲げ線を基準に対称の形状を有する対称装飾材である、装飾置物である。
【００１３】
この態様の装飾置物では、第１又は第２の態様の装飾置物の作用効果に加えて、次の作用効果が得られる。
すなわち、対称装飾材は、折り曲げ線に沿って折り曲げられた紙によって形成され、当該折り曲げ線を基準に対称の形状を有している。このため、この対称装飾材については、紙を折り曲げ線で折り曲げ、所定の形状に沿ってその二枚重ね状の紙を同時に切断することによって、容易に製造することができる。
すなわち、その対称装飾材は、折り曲げ線を挟んで左右一対の基本形状体を有し、その折り曲げ線を基準に、所定の角度間隔を隔てて、両基本形状体が各方向に延びる立体的形状を呈することが可能となる。
こうして、この紙製装飾材（装飾置物）は、両基本形状体が「夫婦」を象徴する美しい外観を呈することも可能となる。
【００１４】
本考案の第４の態様は、第３の態様の装飾置物であって、前記紙製装飾材として、夫婦岩の外観を有するものもある、装飾置物である。
【００１５】
この態様の装飾置物では、第３の態様の装飾置物の作用効果に加えて、次の作用効果が得られる。
すなわち、この装飾置物は、夫婦を象徴し得る対称装飾材とともに、夫婦岩の外観を有する紙製装飾材も有することとなる。
こうして、この装飾置物では、夫婦円満のイメージを有する外観を呈することとなる。
【００１６】
本考案の第５の態様は、第１〜第４のいずれかの態様の装飾置物であって、前記装飾材として、ガラスビーズ、ガラス玉、プリザーブドフラワーのうちの一部又はすべても存在する、装飾置物である。
【００１７】
この態様の装飾置物では、第１〜第４のいずれかの態様の装飾置物の作用効果に加えて、次の作用効果が得られる。
すなわち、この装飾置物では、紙製装飾材に加えて、各種の装飾材が存在することとなり、より豊かな外観を呈することが可能となる。
【図面の簡単な説明】
【００１８】
【図１】本考案の一実施例の装飾置物を示す斜視図である。
【図２】本考案の一実施例の装飾置物を示す分解斜視図である。
【図３】本考案の一実施例の装飾置物のうちのタツノオトシゴ装飾材を示す図である。（ａ）は斜視図であり、（ｂ）はその製造方法（製造の一工程）を示す図である。
【図４】本考案の一実施例の装飾置物のうちの夫婦岩装飾材を示す図である。（ａ）は斜視図であり、（ｂ）はその製造方法（製造の一工程）を示す図である。
【図５】対称装飾材である水中生物紙製装飾材の他の例を示す図であり、（Ａ）はイルカ装飾材を示す斜視図であり、（Ｂ）は二枚貝装飾材を示す斜視図であり、（Ｃ）はヒトデ装飾材を示す斜視図である。
【考案を実施するための形態】
【００１９】
次に、本考案の一実施例について、図面に基づいて説明する。
図１及び図２に示すように、この装飾置物は、容器１０，オイル２０（液体），複数の装飾材３０，４０，５１，５２，５５を有している。
【００２０】
容器１０は、容器本体１２及び栓１４（蓋）を有している。
容器本体１２は、透明なガラス製の瓶であり、有底のほぼ円筒状をしている。その上部は絞られて小径部とされ、そのうちの上部には被螺合部（おねじ）が形成されている。容器本体１２（小半径部）の上端部は開口している。
栓１４は、金属製であり、めねじが形成されており、容器本体１２の上部（被螺合部）に対して螺合され、取り付けられる。こうして、容器１０は密閉状態となる。
【００２１】
オイル２０としては、例えば、透明なシリコーンオイルが使用される。このオイル２０が、容器１０（容器本体１２）内に収容されている。
複数の装飾材３０，４０，５１，５２，５５は、オイル２０内に浸漬された状態で、容器１０（容器本体１２）に収容されている。
【００２２】
装飾材３０，４０，５１，５２，５５として、紙製装飾材３０，４０及びその他の装飾材５１，５２，５５がある。
紙製装飾材３０，４０としては、タツノオトシゴ装飾材３０，夫婦岩装飾材４０がある。いずれも、特種東海製紙株式会社の「ＴＡＮＴ」（登録商標）なる色紙（カラーペーパー）によって形成されている。
【００２３】
タツノオトシゴ装飾材３０は、水中生物紙製装飾材であり、対称装飾材である。
すなわち、図３（ａ）に示すように、タツノオトシゴ装飾材３０は、各々「タツノオトシゴ」の形状を有する左右一対の基本形状体３０ａ，３０ｂを有し、両基本形状体３０ａ，３０ｂが、その各々の口部及び尾部において連結された形状を有している。
一対の基本形状体３０ａ，３０ｂの境界部分が折り曲げ線６３であり、折り曲げ線６３を基準に、所定の角度間隔（例えば、５度〜４５度）を隔てて、左右一対の基本形状体３０ａ，３０ｂが各方向に延びている。すなわち、折り曲げ線６３が延びる方向に沿った視線で見ると、一対の基本形状体３０ａ，３０ｂがＶ字状に延びている。
【００２４】
このタツノオトシゴ装飾材３０（図３（ａ））は、一枚の色紙６０（カラーペーパ−）（図３（ｂ））から、次のように製造される。
一枚の色紙６０を折り曲げ線６３になる線に沿って折り畳み、その二枚重ね状になった色紙６０を同時に「タツノオトシゴ」の形状に切り抜く。その際、口部と尾部においては、折り曲げ線６３の部分を切断せずに残しておく。こうして、折り曲げ線６３の部分（口部及び尾部同士）で結合された一対の基本形状体３０ａ，３０ｂが形成される。
その切り抜き作業の後に、一対の基本形状体３０ａ，３０ｂが若干離隔するようにさせる（自然のままでも色紙６０の多少の復元力で、そのようになる）ことによって、タツノオトシゴ装飾材３０が形成される。
【００２５】
図４（ａ）に示すように、夫婦岩装飾材４０は、三重県伊勢市の二見浦に存在する名勝である「夫婦岩」の形状を有するものである。
夫婦岩装飾材４０は、夫岩部４０ａ，妻岩部４０ｂ，連結縄部４０ｃ，ベース部４０ｄを有している。
ベース部４０ｄは水平状をしており、夫岩部４０ａ及び妻岩部４０ｂは、ベース部４０ｄから鉛直上方に延びている。連結縄部４０ｃは、夫岩部４０ａ及び妻岩部４０ｂを連結している。
【００２６】
この夫婦岩装飾材４０（図４（ａ））は、一枚の色紙６０（カラーペーパ−）（図４（ｂ））から、次のように製造される。
一枚の色紙６０に、折り曲げ線６４を形成する（その後、折り曲げた状態に維持しても、元の平面状に戻してもよい）。その折り曲げ線６４が、夫岩部４０ａ及び妻岩部４０ｂとベース部４０ｄとの境界線になる。
その色紙６０のうちの折り曲げ線６４を境として一方を、夫岩部４０ａ，妻岩部４０ｂ，連結縄部４０ｃの形状に切る抜くとともに、ベース部４０ｄの一部となる部分を残しておく。また、適宜、余分な部分を切断により削除する。 
その後に、必要に応じて、折り曲げ線６４の部分において、連結縄部４０ｃとともに夫岩部４０ａ及び妻岩部４０ｂがベース部４０ｄと垂直になるように折り曲げる。こうして、夫婦岩装飾材４０が形成される。
【００２７】
図１及び図２に示すように、その他の装飾材５１，５２，５５として、多数のガラスビーズ５１，一又は複数のガラス玉５２（いわゆるビー玉），複数のプリザーブドフラワー５５がある。
プリザーブドフラワー５５としては、かすみ草５５ａ，あじさい５５ｂがある。
【００２８】
図１に示すように、夫婦岩装飾材４０は、容器１０（容器本体１２）の内部の下部に位置づけられている。
すなわち、夫婦岩装飾材４０のベース部４０ｄ（図４（ａ））は、容器本体１２（図１及び図２）の底部（符号省略）に接している。その状態で、多数のガラスビーズ５１，ガラス玉５２が容器本体１２内に収容されている。いずれもその比重はオイル２０よりも重いため、オイル２０内において下方に沈む。
こうして、多数のガラスビーズ５１及びガラス玉５２のうちの少なくとも一部は、夫婦岩装飾材４０のベース部４０ｄに対して重石として機能し、ベース部４０ｄが容器本体１２の底部に対して安定的に接することとなる。こうして、夫婦岩装飾材４０が容器本体１２の内部の下部において安定的に維持される。
なお、夫婦岩装飾材４０のベース部４０ｄは、容器１０の底部に対して予め接着剤によって固定されていてもよい。
【００２９】
また、タツノオトシゴ装飾材３０や、その他の装飾材５１，５２，５５は、適宜、所定の位置（高さ位置）に位置づくようにされてもよい。
【００３０】
なお、以上はあくまで、本考案の一実施例であり、他の種々の態様が考えられる。
例えば、図５に示すように、対称装飾材としての水中生物紙製装飾材が、イルカ装飾材３０Ａ，二枚貝装飾材３０Ｂ，ヒトデ装飾材３０Ｃ等であってよい。
【００３１】
図５（Ａ）に示すように、イルカ装飾材３０Ａは、「イルカ」の形状を有する一対の基本形状体３０Ａａ，３０Ａｂを有している。両基本形状体３０Ａａ，３０Ａｂは、各々の口部及び尾部同士で結合されている。
【００３２】
図５（Ｂ）に示すように、二枚貝装飾材３０Ｂは、「二枚貝の各殻片」の形状を有する一対の基本形状体３０Ｂａ，３０Ｂｂを有している。両基本形状体３０Ｂａ，３０Ｂｂは、蝶番部において結合されており、全体として１つの二枚貝（その貝殻）の形状を呈している。
【００３３】
図５（Ｃ）に示すように、ヒトデ装飾材３０Ｃは、「ヒトデ」の形状を有する一対の基本形状体３０Ｃａ，３０Ｃｂを有している。両基本形状体３０Ｃａ，３０Ｃｂは、各々の２本の脚部（それらの先端部）同士で結合されている。
【００３４】
次に、この装飾置物の作用効果について、説明する。
この装飾置物の装飾材の一部が紙製装飾材３０，４０であり、紙製の装飾材は、非常に大きな多様性を有する外観を容易に呈することが可能となることから、この装飾置物は、容易に多様な外観を有することが可能となる。
【００３５】
また、紙製装飾材であるタツノオトシゴ装飾材３０が、水中の生物であるタツノオトシゴの外観を呈する水中生物紙製装飾材であるため、その紙製装飾材（タツノオトシゴ装飾材３０）は、オイル２０（液体）の中に浸漬された状態で、水中にタツノオトシゴが存在するかのような外観を呈することとなり、より自然な美しい外観を呈することとなる。
【００３６】
紙製装飾材であるタツノオトシゴ装飾材３０が対称装飾材であって、色紙６０が折り曲げ線６３で折り曲げられ、折り曲げ線６３を基準に対称の形状を有しているため、色紙６０が折り曲げられた状態で切断されることによって容易に製造することができる。
それとともに、左右一対の基本形状体３０ａ，３０ｂが折り曲げ線６３を基準に各方向に延びる立体的形状を呈することが可能となるとともに、両基本形状体３０ａ，３０ｂによって「夫婦」を象徴する美しい外観を呈することとなる。
これによって、この装飾置物では、「夫婦岩」の外観を有する夫婦岩装飾材４０とともに、夫婦円満のイメージを醸し出すこととなる。
【００３７】
なお、前述したように、上記のものはあくまで本発明の実施例にすぎず、当業者の知識に基づいて種々の変更を加えた態様で本考案を実施できることはもちろんである。
【符号の説明】
【００３８】
１０  容器
２０  オイル（液体）
３０  タツノオトシゴ装飾材（水中生物紙製装飾材，対称装飾材）
３０Ａ  イルカ装飾材（水中生物紙製装飾材，対称装飾材）
３０Ｂ  二枚貝装飾材（水中生物紙製装飾材，対称装飾材）
３０Ｃ  ヒトデ装飾材（水中生物紙製装飾材，対称装飾材）
４０  夫婦岩装飾材（紙製装飾材）
５１  ガラスビーズ（装飾材）
５２  ガラス玉（装飾材）
５５ａ（５５）  かすみ草（プリザーブドフラワー）
５５ｂ（５５）  あじさい（プリザーブドフラワー）
【図１】
0003223178.tif 000003
【図２】
0003223178.tif 000004
【図３】
0003223178.tif 000005
【図４】
0003223178.tif 000006
【図５】
0003223178.tif 000007
【手続補正書】
【提出日】令和1年8月9日(2019.8.9)
【手続補正１】
【補正対象書類名】図面
【補正対象項目名】図５
【補正方法】変更
【補正の内容】
【図５】
0003223178.tif 000008